【手続補正書】
【提出日】令和1年11月26日(2019.11.26)
【手続補正１】
【補正対象書類名】特許請求の範囲
【補正対象項目名】請求項４
【補正方法】変更
【補正の内容】
【請求項４】
該管柱又は該間柱及び該まぐさの内周面と該窓枠の外周面との間に介在された連結片を介して該窓枠が該管柱又は該間柱及び該まぐさに固着され、該連結片も該固定枠の外側面を越えて外側に突出することがない、請求項３記載の組み合わせ。
【手続補正２】
【補正対象書類名】明細書
【補正対象項目名】０００６
【補正方法】変更
【補正の内容】
【０００６】
本発明者等は、鋭意検討の結果、窓枠を固定枠の外側面ではなくて内周面に固着し且つ窓枠が固定枠の外側面を越えて外側に突出することがないように構成することによって、上記主たる技術的課題を達成することができることを見出した。
【手続補正３】
【補正対象書類名】明細書
【補正対象項目名】００１３
【補正方法】変更
【補正の内容】
【００１３】
横断面形状が正方形である管柱４の外側面（図１において上側面）には構造用合板１０が配設されている。合板１０は管柱４の内周面（図１において左側面）を越えて突出している。管柱４の内側面（図１において下側面）には石膏ボード１２が配設されている。この石膏ボード１２は管柱４の内周面を越えて突出しており、その突出端部には管柱４の内周面（図１において左側面）に対向して位置する木製額縁１４が連結されている。管柱４の外周面（図１において右側面）には断熱材１８が配設されている。上記合板１０の外側面にも断熱材１６が配設されている。
【手続補正４】
【補正対象書類名】明細書
【補正対象項目名】００１６
【補正方法】変更
【補正の内容】
【００１６】
而して、建造物の上述したとおりの固定枠２自体の構成は、本発明に従って構成された組み合わせの新規な特徴を構成するものではなく、周知の形態でよく、それ故に固定枠２の詳細な説明は本明細書においては省略する。
【手続補正５】
【補正対象書類名】明細書
【補正対象項目名】００１７
【補正方法】変更
【補正の内容】
【００１７】
図１及び図２を参照して説明を続けると、全体を番号４０で示す図示の窓枠は、実質上鉛直に延びる一対の側部材４２（その一方を図１に図示している）並びに実質上水平に延びる下部材４４及び上部材４６（図２）から構成されている。側部材４２、下部材４４及び上部材４６は、硬質塩化ビニル樹脂の如き合成樹脂から押出成形される細長い押出製品を所要長さに切断することによって形成され、側部材４２、上部材４４及び下部材４６の横断面形状は同一である。下部材４４の両端は一対の側部材４２の下端に接続され、上部材４６の両端は一対の側部材４２の上端に接続され、かくして矩形固定枠２の形状に対応した矩形窓枠４０が形成される。図示の実施形態においては、側部材４２、下部材４４及び上部材４６は横断面形状が略長方形状の中空部材であり、外周壁４８、外側壁５０、内側壁５２及び内周壁５４を有する。側部材４２の外周壁４８は実質上鉛直に延在し、下部材４４及び上部材４６の外周壁４８は実質上水平に延在し、これらの外周壁４８の両側部には鍵状突起５６ａ及び５６ｂが付設されている。側部材４２の外側壁５０及び内側壁５２は実質上鉛直に延在し、下部材４４及び上部材４６の外側壁５０及び内側壁５２は実質上水平に延在している。内周壁５４には段差部が存在し、内周壁５４の内側部は外側部に対して外周方向に変位されている。内周面５４の外側部には内周方向に突出する中空突出部５８が付設されている。下面壁５４の内側部には段差に対応して収容溝部が規定されている。外周壁４８、外側壁５０、内側壁５２及び内周壁５４で囲繞された空間内には複数個の補強壁が配設されている。図１及び図２に二点鎖線で示す如く窓枠４０内には嵌め殺しガラス或いは適宜の障子Ｗが収容され、建造物の窓が規定される。窓枠４０と嵌め殺しガラス或いは障子との間には周知の形態でよいシール片（図示していない）が配設されている。嵌め殺しガラス或いは障子に配設されるガラスは、単層のガラス板から構成することもできるが、断熱性の向上の点から複数枚のガラス板を間隔をおいて積層した形態であるのが好都合である。
【手続補正６】
【補正対象書類名】明細書
【補正対象項目名】００１８
【補正方法】変更
【補正の内容】
【００１８】
本発明に従って構成された組み合わせにおいては、窓枠４０は固定枠２の外側面（図１において上側面、図２において左側面）ではなくて内周面に固着されていて、窓枠４０は固定枠２の外側面を越えて外側に突出することがないことが重要である。
【手続補正７】
【補正対象書類名】明細書
【補正対象項目名】００１９
【補正方法】変更
【補正の内容】
【００１９】
図示の実施形態においては、窓枠４０を構成する一対の側部材４２の外周面及び上部材４６の外周面は、連結片６０を介して、夫々、管柱４の内周面、及びまぐさ８の内周面に固着される。図１及び図２と共に図３を参照して説明すると、ステンレス鋼の如き適宜の金属板から形成することができる連結片６０は略平行四辺形である平坦な外側部６０ａと長方形状である平坦な内側部６０ｂとを有し、外側部６０ａと内側部６０ｂとはこれらに対して垂直に延在する連結部６０ｃによって連結されている。かような連結片６０は、外側部６０ａを図３に二点鎖線で示す状態にせしめて側部材４２及び上部材４６の一対の突起５６ａ及び５６ｂ間に挿入し、次いで図３に実線で示す状態に修正され、夫々、側部材４２の外周面と管柱４の内周面との間、上部材４６の外周面とまぐさ８の内周面との間に、好ましくは間隔をおいて複数個介在せしめられる。連結片６０の各々の外側部６０ａは、側部材４２の外周面又は上部材４６の外周面に対向して位置し、連結片６０の内側部６０ｂは介在ブロック６２を介して管柱４の内周面又はまぐさ８の内周面に対向して位置する。そして、連結片６０の外側部６０ａは締結ネジ６４によって側部材４２又は上部材４６の外周壁４８に連結され、連結片６０の内側部６０ｂは締結ネジ６６によって管柱４又はまぐさ８の内周面に連結される。
【手続補正８】
【補正対象書類名】明細書
【補正対象項目名】００２０
【補正方法】変更
【補正の内容】
【００２０】
一方、窓枠４０を構成する下部材４４の外周面は、台座と水切りとが一体に形成された台座水切り部材６８を介して窓台６に固着されている。適宜の合成樹脂から押出成形することができる台座水切り部材６８は台座部６８ａと水切り部６８ｂとを有する。台座部６８ａは横断面形状が略長方形形状である中空体であり、下端内側には連結用突出部が形成されている。水切り部６８ｂは横断面形状が略平行四辺形状の中空体である。台座水切り部材６８の台座部６８ａは窓台６の内周面と窓枠４０を構成する下部材４４の外周面との間に介在せしめられ、下部材４４の一対の突起５６ａ及び５６ｂ間に位置する上面壁が締結ネジ７０によって下部材４４の外周壁４８に連結され、連結用突出部が締結ネジ７２によって窓台６に連結され、かくして下部材４４が窓台６に固着される。台座水切り部材６８の水切り部６８ｂは固定枠２の外側面を越えて外方に向かって下方に幾分傾斜して突出する。台座水切り部材６８の水切り部６８ｂの両端には合成樹脂製でよい閉塞部材７４（図１）が固定されている。窓枠４０の外縁部と建造物との間にはシール用コーキング７６が配設されている。
【手続補正９】
【補正対象書類名】明細書
【補正対象項目名】００２１
【補正方法】変更
【補正の内容】
【００２１】
上述した通りにして固定枠２の内周面に固着された窓枠４０は、固定枠２の外側面を越えて外側に突出することがないことが重要であり、好ましくは図１及び図２を参照することによって明確に理解されるとおり、窓枠４０の外側面は固定枠２の外側面（図示の実施形態においては、合板１０、２０及び３０の外側面）と面一である。窓枠４０の外側面は固定枠２の外側面を越えて突出することがなく、好ましくは固定枠２の外周面と面一である故に、図１及び図２に図示する如く、窓枠４０を構成する側部材４２及び上部材４６の外側面の一部（側部材４２においては外半部、上部材４６においては上半部）をも外観を劣化せしめることなく且つ困難を伴うことなく断熱材１６及び３８で覆うことができる。
【手続補正１０】
【補正対象書類名】図面
【補正対象項目名】図３
【補正方法】変更
【補正の内容】
【図３】
2018071257.tif 000001